(57)【要約】光スイッチによるパス選択方向を常にモニタすることを可能とし、且つ非選択光パスである待機系システムの正常性も常に監視できる伝送装置である。  複数設けられた光信号伝搬用パスのうちのいずれか一つをプロテクション制御により選択して光信号を受信する伝送装置（５００）であって、前記複数の光信号伝搬用パスを通じて伝搬されてきた光信号を、それぞれ互いに異なる波長の光信号として出力する複数の光信号出力部（５１１，５１２）と、制御用周波数信号の周波数に基づいて、該複数の光信号出力部（５１１，５１２）からの光信号のうちのいずれか一つに相当する波長の光を選択的に出力しうる波長選択光スイッチ（５１４）と、該光信号出力部（５１１，５１２）からの光信号のうちで、前記プロテクション制御により選択された光信号伝搬用パス側からの光信号を出力すべく、該波長選択光スイッチ（５１４）に対して前記制御用周波数信号を供給する光スイッチ制御部（５１３）と、をそなえて構成する。
2004047341.tif 000002
【特許請求の範囲】
【請求項１】
複数設けられた光信号伝搬用パスのうちのいずれか一つをプロテクション制御により選択して光信号を受信する伝送装置であって、
前記複数の光信号伝搬用パスを通じて伝搬されてきた光信号を、それぞれ互いに異なる波長の光信号として出力する複数の光信号出力部と、
制御用周波数信号の周波数に基づいて、該複数の光信号出力部からの光信号のうちのいずれか一つに相当する波長の光を選択的に出力しうる波長選択光スイッチと、
該光信号出力部からの光信号のうちで、前記プロテクション制御により選択された光信号伝搬用パス側からの光信号を出力すべく、該波長選択光スイッチに対して前記制御用周波数信号を供給する光スイッチ制御部と、
をそなえて構成されたことを特徴とする、伝送装置。
【請求項２】
複数設けられた光信号伝搬用パスのうちのいずれか一つをプロテクション制御により選択して光信号を受信する伝送装置であって、
前記複数の光信号伝搬用パスを通じて伝搬されてきた光信号を、それぞれ互いに異なる波長の光信号として出力する複数の光信号出力部と、
制御用周波数信号の周波数に基づいて、該複数の光信号出力部からの光信号のうちのいずれか一つに相当する波長の光を選択的に出力しうる波長選択光スイッチと、
該光信号出力部からの光信号のうちで、前記プロテクション制御により選択された光信号伝搬用パス側からの光信号を出力すべく、該波長選択光スイッチに対して前記制御用周波数信号を供給する光スイッチ制御部と、
前記制御用周波数信号の周波数を検出する周波数検出部と、
をそなえて構成されたことを特徴とする、伝送装置。
【請求項３】
複数設けられた光信号伝搬用パスのうちのいずれか一つをプロテクション制御により選択して光信号を受信する伝送装置であって、
前記複数の光信号伝搬用パスを通じて伝搬されてきた光信号を、それぞれ互いに異なる波長の光信号として出力する複数の光信号出力部と、
制御用周波数信号の周波数に基づいて、該複数の光信号出力部からの光信号のうちのいずれか一つに相当する波長の光を選択的に出力しうる波長選択光スイッチと、
該光信号出力部からの光信号のうちで、前記プロテクション制御により選択された光信号伝搬用パス側からの光信号を出力すべく、該波長選択光スイッチに対して前記制御用周波数信号を供給する光スイッチ制御部と、
該光信号生成部にて生成されるそれぞれの光信号をモニタするモニタ部と、をそなえて構成されたことを特徴とする、伝送装置。
【請求項４】
複数設けられた光信号伝搬用パスのうちのいずれか一つをプロテクション制御により選択して光信号を受信する伝送装置であって、
前記複数の光信号伝搬用パスを通じて伝搬されてきた光信号を、それぞれ互いに異なる波長の光信号として出力する複数の光信号出力部と、
制御用周波数信号の周波数に基づいて、該複数の光信号出力部からの光信号のうちのいずれか一つに相当する波長の光を選択的に出力しうる波長選択光スイッチと、
該光信号出力部からの光信号のうちで、前記プロテクション制御により選択された光信号伝搬用パス側からの光信号を出力すべく、該波長選択光スイッチに対して前記制御用周波数信号を供給する光スイッチ制御部と、
前記制御用周波数信号の周波数を検出する周波数検出部と、
該光信号生成部にて生成されるそれぞれの光信号をモニタするモニタ部と、をそなえて構成されたことを特徴とする、伝送装置。
【請求項５】
該周波数検出部が、前記選択的に出力しうる光信号に対応した制御用周波数信号をそれぞれ検出しうるバンドパスフィルタをそなえて構成されたことを特徴とする、請求の範囲第２項または第４項に記載の伝送装置。
【請求項６】
各光信号生成部が、互いに異なる波長の光を発光しうる発光素子と、前記光信号を生成すべく該発光素子を駆動する発光素子駆動部と、該発光素子のバック光を受光する受光素子とをそなえ、
該モニタ部が、各光信号生成部の受光素子からの受光信号に基づいて、各光信号生成部の断状態を検出する断状態検出回路として構成されたことを特徴とする、請求の範囲第３項または第４項に記載の伝送装置。
【請求項７】
該光スイッチ制御部が、前記複数の光信号伝搬用パスを通じて伝搬してきた各光信号に基づくプロテクション制御により、該波長選択光スイッチに対して前記制御用周波数信号を供給するように構成されたことを特徴とする、請求の範囲第１項〜第６項のいずれか１項に記載の伝送装置。
【請求項８】
該波長選択光スイッチが、音響光学波長フィルタにより構成されたことを特徴とする、請求の範囲第１項〜第７項のいずれか１項に記載の伝送装置。
【請求項９】
第１の伝送装置と第２の伝送装置との間に複数の光信号伝搬用パスを設定し、第２の伝送装置において、前記複数の光信号伝搬用パスのうちのいずれか一つをプロテクション制御により選択する伝送装置のパス選択方法であって、
第２の伝送装置において、前記の第１の伝送装置から複数の光信号伝搬用パスを通じて同一波長で冗長に伝送されてきた光信号を入力されて、それぞれ互いに異なる波長の光信号として波長選択光スイッチに出力するステップと、
前記プロテクション制御により選択された光信号伝搬用パスを伝搬する光信号を出力するための制御用周波数信号で該波長選択光スイッチを制御することにより、該波長選択光スイッチから出力された光信号を選択されたパスからの光信号として受信するステップと、
をそなえて構成されたことを特徴とする、伝送装置のパス選択方法。
【発明の詳細な説明】
【技術分野】  本発明は、複数設けられた光信号伝搬用パスのうちのいずれか一つをプロテクション制御により選択して光信号を受信する伝送装置に関し、例えばＷＤＭ（Ｗａｖｅｌｅｎｇｔｈ  Ｄｉｖｉｓｉｏｎ  Ｍｕｌｔｉｐｌｅｘｉｎｇ）装置においてプロテクション制御を行なう際に用いて好適な、伝送装置および伝送装置のパス選択方法に関する。
【背景技術】  図４は従来のＷＤＭ伝送におけるプロテクション制御の第１態様を説明するための図であり、この図４において、１００，２００はそれぞれＷＤＭ送信装置，ＷＤＭ受信装置である。又、ＷＤＭ送信装置１００からＷＤＭ受信装置２００に向けた光伝搬方向にはプロテクション制御のための２本のパス３０１，３０２が設定されて、ＷＤＭ送信装置１００およびＷＤＭ受信装置２００間の光通信の耐障害性を高めている。尚、パス３０１，３０２は、例えば光ファイバおよび中継増幅器等により構成される。
すなわち、ＷＤＭ送信装置１００は、波長多重伝送しうる波長数〔例えば周波数ｆ１〜ｆｎのｎ本（ｎ；２以上の整数）〕に対応して設けられたｎ個の送信側プロテクション処理部１３０−１〜１３０−ｎ（図４中においては１３０−１に着目して図示している）と、それぞれの送信側プロテクション処理部１３０−１〜１３０−ｎからの波長ｆ１〜ｆｎの光信号について、伝送されるパス３０１，３０２に対応して波長多重する波長多重部１４１，１４２をそなえている。尚、以下においては、送信側プロテクション処理部１３０−１〜１３０−ｎの構成について、送信側プロテクション処理部１３０−１に着目して説明する。
ここで、送信側プロテクション処理部１３０−１は、波長多重前の光送信信号について２つに分岐する光カプラ１３１と、光カプラ１３１にて２つに分岐されたそれぞれの光送信信号について信号処理を施す信号処理部１３２，１３３とをそなえており、信号処理部１３２からの光信号は波長多重部１４１に出力され、信号処理部１３３からの信号は波長多重部１４２に出力される。
これにより、波長多重部１４１，１４２で波長多重された光信号は、光ファイバや中継増幅器等からなるパス３０１，３０２を通じてＷＤＭ伝送装置２００の受信部２２０に出力されるようになっている。尚、信号処理部１３２，１３３において、１３２Ａ，１３３ＡはＯ／Ｅ（Ｏｐｔｉｃ／Ｅｌｅｃｔｒｉｃ）変換部で、１３２Ｂ，１３３ＢはＮＢ・Ｅ／Ｏ（Ｅｌｅｃｔｒｉｃ／Ｏｐｔｉｃ）変換部である。
また、ＷＤＭ受信装置２００は、パス３０１，３０２を通じてそれぞれ伝送されてきたＷＤＭ伝送装置１００からの光信号について波長ｆ１〜ｆｎの光信号に波長分離する波長分離部２３１，２３２と、波長分離部２３１，２３２にて分離された各波長ｆ１〜ｆｎの光信号について受信側プロテクション処理を行なうｎ個の受信側プロテクション処理部２４０−１〜２４０−ｎとをそなえている。尚、以下においては、受信側プロテクション処理部２４０−１〜２４０−ｎの構成について、受信側プロテクション処理部２４０−１に着目して説明する。
ここで、受信側プロテクション処理部２４０−１は、波長分離部２３１，２３２にて波長分離された同一波長の光信号についてそれぞれ信号処理を施す信号処理部２４１，２４２と、各信号処理部２４１，２４２からの光信号についていずれか一方を現用の光信号として選択的に出力する光スイッチ２４４と、光スイッチ２４４を制御する光スイッチ制御部２４３とをそなえて構成されている。
また、信号処理部２４１，２４２はそれぞれ、波長分離部２３１，２３２からの光信号について電気信号に変換してプロテクション制御のために必要な監視制御情報を抽出するＯ／Ｅ変換部２４１Ａ，２４２Ａと、Ｏ／Ｅ変換部２４１Ａ，２４２Ａからの電気信号について互いに同一波長の光信号に変換するＥ／Ｏ変換部２４１Ｂ，２４２Ｂをそなえている。
すなわち、光スイッチ制御部２４３は、信号処理部２４１，２４２のＯ／Ｅ変換部２４１Ａ，２４２Ａから入力された監視制御情報に基づいて、パス３０１を通じて伝送されてきた光信号（図中Ａ系パス３１０参照）と、パス３０２を通じて伝送されてきた光信号（図中Ｂ系パス３２０参照）とで、いずれか一方を現用の光信号として選択すべく光スイッチ２４４を制御するようになっている。
また、光スイッチ２４４は、詳細には図５（ａ），図５（ｂ）に示すように、コイル２４４Ａと、コイル２４４Ａによる磁界の向きによって図５（ａ）又は図５（ｂ）に示すような位置となるように移動できるプリズム２４４Ｂをそなえている。
すなわち、光スイッチ制御部２４３からのパルス信号により、コイル２４４Ａ内部の磁界が図５（ａ）に示すＵ方向の状態の場合には、パス３０１からの信号が出力され、コイル２４４Ａ内部の磁界が図５（ｂ）に示すＤ方向の状態の場合には、パス３０２からの信号が出力されるようになっている。尚、光スイッチ制御部２４３においては、光スイッチ２４４の切替状態は、１つのパルス信号のみを出力することで保持される。従って、光スイッチ２４４の切替動作後は、コイル２４４Ａには電流は流さない。
このような構成により、図４に示すＷＤＭ送信装置１００においてＡ系パス３１０およびＢ系パス３２０を通じて冗長に送信された光信号は、光スイッチ制御部２４３による光スイッチ２４４の切替制御により、いずれか一方が選択的に出力される。
また、光スイッチ制御部２４３では、信号処理部２４１，２４２のＯ／Ｅ変換部２４１Ａ，２４２Ａでそれぞれ検出される監視制御情報としてのパスＡ系、Ｂ系パス３２０の警報情報（例えば光入力断、回線エラー等）を受信して、受信パスに異常が生じたと判定された場合には、光スイッチ２４４に対してパルス信号を出力することにより、選択されるパスを切り替える。
また、図６は従来のＷＤＭ伝送におけるプロテクション制御の第２態様を説明するための図であり、この図６において、１００は前述の図４の場合と同様のＷＤＭ送信装置，２００′は前述のＷＤＭ受信装置２００に比してパス３０１，３０２の切替制御の手法が異なったＷＤＭ受信装置である。又、前述の図４の場合と同様に、ＷＤＭ送信装置１００からＷＤＭ受信装置２００′に向けた光伝搬方向にはプロテクション制御のための２本のパス３０１，３０２が設定されている。
ここで、ＷＤＭ受信装置２００′は、図４に示すものと同様の波長分離部２３１，２３２と、図４に示すもの（符号２４０−１〜２４０−ｎ参照）と異なるプロテクション制御を行なうｎ個の受信側プロテクション処理部２４０′−１〜２４０′−ｎとをそなえている。尚、以下においては、受信側プロテクション処理部２４０′−１〜２４０′−ｎの構成について、受信側プロテクション処理部２４０′−１に着目して説明する。
ここで、受信側プロテクション処理部２４０′−１は、信号処理部２４１′，２４２，光スイッチ制御部２４３′および光カプラ２４４′をそなえて構成されている。
また、信号処理部２４１′，２４２′はそれぞれ、波長分離部２３１，２３２からの光信号について電気信号に変換してプロテクション制御のために必要な監視制御情報を抽出して光スイッチ制御部２４３に供給するＯ／Ｅ変換部２４１Ａ，２４２Ａと、光スイッチ制御部２４３からの光のＯＮ／ＯＦＦ制御を受けてＯ／Ｅ変換部２４１Ａ，２４２Ａからの電気信号について光信号に変換するＥ／Ｏ変換部２４１Ｂ，２４２Ｂとをそなえている。
図７は上述のＥ／Ｏ変換部２４１Ｂ，２４２Ｂの要部構成を示す図であるが、この図７に示すように、Ｅ／Ｏ変換部２４１Ｂ，２４２Ｂはそれぞれ、ＬＤ（Ｌａｓｅｒ  Ｄｉｏｄｅ）２４５Ａ，２４５Ｂと、電源２４６を電圧供給源としてＯ／Ｅ変換部２４１Ａ，２４１Ｂからの電気信号によりＬＤ２４５を駆動する駆動部２４７Ａ，２４７Ｂと、光スイッチ制御部２４３からの制御信号により、電源から供給される電圧信号の供給／非供給を制御するスイッチ２４８Ａ，２４８Ｂをそなえている。
すなわち、光スイッチ制御部２４３からの制御信号でスイッチ２４８Ａ，２４８Ｂが制御されて、選択されるパス側のＥ／Ｏ変換部２４１Ｂ，２４２Ｂに対しては電源２４６からの電気信号をＬＤ２４５Ａ，２４５Ｂに供給する一方（活性状態）、選択されないパス側のＥ／Ｏ変換部２４１Ｂ，２４２Ｂに対しては電源２４６からの電気信号をＬＤ２４５Ａ，２４５Ｂに供給しないようにしている（非活性状態）。
これにより、光スイッチ制御部２４３では、信号処理部２４１，２４２のＯ／Ｅ変換部２４１Ａ，２４２Ａから入力された監視制御情報に基づいて、パス３０１を通じて伝送されてきた光信号（図中Ａ系パス３１０）と、パス３０２を通じて伝送されてきた光信号（図中Ｂ系パス３２０）とで、いずれか一方を現用の光信号として選択すべくＥ／Ｏ変換部２４１Ｂ，２４２Ｂを制御できるようになっている。
このような構成により、図６に示すＷＤＭ送信装置１００においてＡ系又はＢ系のパスを通じて冗長に送信された光信号は、光スイッチ制御部２４３によるＥ／Ｏ変換部２４１Ｂ，２４２Ｂの活性状態／非活性状態の切替制御により、いずれか一方が選択的に出力される。
しかしながら、上述の図４に示すプロテクション制御のための装置２００においては、現用パスの選択を、光スイッチ２４４に対して供給するパルス信号で行なわれており、光スイッチ２４４の切替動作後はコイルには電流は流れず、スイッチ動作後は正しくどちらに光スイッチが動作しているか確認することが出来ない。即ち、Ａ系およびＢ系のどちらのパスを選択しているか確認することが出来ないという課題がある。
また、図６に示すプロテクション制御のための装置２００′においては、現用パスの選択を、Ｅ／Ｏ変換部２４１Ｂ′，２４２Ｂ′におけるＬＤ２４５Ａ，２４５Ｂの活性／非活性で制御している。例えば待機系パスにおけるＥ／Ｏ変換部２４１Ｂ′，２４２Ｂ′のＬＤ２４５Ａ，２４５Ｂが故障していると、光スイッチ制御部２４３′において待機系パスにおけるＥ／Ｏ変換部２４１Ｂ′，２４２Ｂ′のＬＤ２４５Ａ，２４５Ｂを活性とする制御信号を出力しても、このＬＤ２４５Ａ，２４５Ｂを活性にすることが出来ないという課題がある。換言すれば、図６のプロテクションの態様においては、待機系は非活性状態のために、待機系システムの正常性については監視することが出来ない。
ところで、本願発明に関連する公知技術としては、特開平８−１２５６３６号公報に記載されたものがある。この特開平８−１２５６３６号公報に記載された伝送装置においては、波長多重伝送における迅速かつ確実なプロテクション方式を実現するために、各波長の信号ごとに障害を検出する手段と、一つの現用伝送路に波長多重されて伝送される信号を同時に予備伝送路に切り替える手段とをそなえている。
しかしながら、上述の特開平８−１２５６３６号公報に記載された伝送装置においては、上述の予備伝送路に切り替える手段を、制御回路で制御されるセレクタ又は空間スイッチで構成されている。しかしながら、セレクタの構成については具体的な開示がなく、上述の図５（ａ）又は図５（ｂ）に示すように構成されている場合には、やはりパス選択方向を常にモニタしておくことが困難であると考えられる。
本発明は、このような課題に鑑み創案されたもので、光スイッチによるパス選択方向を常にモニタすることを可能とし、且つ非選択光パスである待機系システムの正常性についても常に監視できるようにした、伝送装置および伝送装置のパス選択方法を提供することを目的とする。
【発明の開示】
上記の目的を達成するために、本発明の伝送装置は、複数設けられた光信号伝搬用パスのうちのいずれか一つをプロテクション制御により選択して光信号を受信する伝送装置であって、前記複数の光信号伝搬用パスを通じて伝搬されてきた光信号を、それぞれ互いに異なる波長の光信号として出力する複数の光信号出力部と、制御用周波数信号の周波数に基づいて、複数の光信号出力部からの光信号のうちのいずれか一つに相当する波長の光を選択的に出力しうる波長選択光スイッチと、光信号出力部からの光信号のうちで、前記プロテクション制御により選択された光信号伝搬用パス側からの光信号を出力すべく、波長選択光スイッチに対して前記制御用周波数信号を供給する光スイッチ制御部と、をそなえて構成されたことを特徴としている。
また、本発明の伝送装置は、複数設けられた光信号伝搬用パスのうちのいずれか一つをプロテクション制御により選択して光信号を受信する伝送装置であって、前記複数の光信号伝搬用パスを通じて伝搬されてきた光信号を、それぞれ互いに異なる波長の光信号として出力する複数の光信号出力部と、制御用周波数信号の周波数に基づいて、複数の光信号出力部からの光信号のうちのいずれか一つに相当する波長の光を選択的に出力しうる波長選択光スイッチと、光信号出力部からの光信号のうちで、前記プロテクション制御により選択された光信号伝搬用パス側からの光信号を出力すべく、波長選択光スイッチに対して前記制御用周波数信号を供給する光スイッチ制御部と、前記制御用周波数信号の周波数を検出する周波数検出部と、をそなえて構成されたことを特徴としている。
さらに、本発明の伝送装置は、複数設けられた光信号伝搬用パスのうちのいずれか一つをプロテクション制御により選択して光信号を受信する伝送装置であって、前記複数の光信号伝搬用パスを通じて伝搬されてきた光信号を、それぞれ互いに異なる波長の光信号として出力する複数の光信号出力部と、制御用周波数信号の周波数に基づいて、複数の光信号出力部からの光信号のうちのいずれか一つに相当する波長の光を選択的に出力しうる波長選択光スイッチと、光信号出力部からの光信号のうちで、前記プロテクション制御により選択された光信号伝搬用パス側からの光信号を出力すべく、波長選択光スイッチに対して前記制御用周波数信号を供給する光スイッチ制御部と、光信号生成部にて生成されるそれぞれの光信号をモニタするモニタ部と、をそなえて構成されたことを特徴としている。
また、本発明の伝送装置は、複数設けられた光信号伝搬用パスのうちのいずれか一つをプロテクション制御により選択して光信号を受信する伝送装置であって、前記複数の光信号伝搬用パスを通じて伝搬されてきた光信号を、それぞれ互いに異なる波長の光信号として出力する複数の光信号出力部と、制御用周波数信号の周波数に基づいて、複数の光信号出力部からの光信号のうちのいずれか一つに相当する波長の光を選択的に出力しうる波長選択光スイッチと、光信号出力部からの光信号のうちで、前記プロテクション制御により選択された光信号伝搬用パス側からの光信号を出力すべく、波長選択光スイッチに対して前記制御用周波数信号を供給する光スイッチ制御部と、前記制御用周波数信号の周波数を検出する周波数検出部と、光信号生成部にて生成されるそれぞれの光信号をモニタするモニタ部と、をそなえて構成されたことを特徴としている。
上述の伝送装置においては、周波数検出部を、選択的に出力しうる光信号に対応した制御用周波数信号をそれぞれ検出しうるバンドパスフィルタをそなえて構成してもよい。
さらに、好ましくは、各光信号生成部が、互いに異なる波長の光を発光しうる発光素子と、前記光信号を生成すべく発光素子を駆動する発光素子駆動部と、発光素子のバック光を受光する受光素子とをそなえ、モニタ部が、各光信号生成部の受光素子からの受光信号に基づいて、各光信号生成部の断状態を検出する断状態検出回路として構成することとしてもよい。
また、光スイッチ制御部が、複数の光信号伝搬用パスを通じて伝搬してきた各光信号に基づくプロテクション制御により、波長選択光スイッチに対して前記制御用周波数信号を供給するように構成することもできる。
さらに、好ましくは、波長選択光スイッチを、音響光学波長フィルタにより構成することもできる。
また、本発明の伝送装置のパス選択方法は、第１の伝送装置と第２の伝送装置との間に複数の光信号伝搬用パスを設定し、第２の伝送装置において、前記複数の光信号伝搬用パスのうちのいずれか一つをプロテクション制御により選択する伝送装置のパス選択方法であって、第２の伝送装置において、前記の第１の伝送装置から複数の光信号伝搬用パスを通じて同一波長で冗長に伝送されてきた光信号を入力されて、それぞれ互いに異なる波長の光信号として波長選択光スイッチに出力するステップと、前記プロテクション制御により選択された光信号伝搬用パスを伝搬する光信号を出力するための制御用周波数信号で波長選択光スイッチを制御することにより、波長選択光スイッチから出力された光信号を選択されたパスからの光信号として受信するステップと、をそなえて構成されたことを特徴としている。
このように、本発明によれば、波長選択光スイッチによるパス選択方向を常にモニタすることができ、且つ非選択光パスである待機系システムの正常性についても常に監視することができる利点がある。
【図面の簡単な説明】  図１は本発明の実施の形態を示すブロック図である。
図２は本実施形態における伝送装置の要部を示すブロック図である。
図３は本実施形態における伝送装置の要部を示すブロック図である。
図４は従来のＷＤＭ伝送におけるプロテクション制御の第１態様を説明するための図である。
図５（ａ），図５（ｂ）はともに図４に示すＷＤＭ受信装置の要部を示す図である。
図６は従来のＷＤＭ伝送におけるプロテクション制御の第２態様を説明するための図である。
図７は図６に示すＷＤＭ受信装置の要部を示す図である。
【発明を実施するための最良の形態】  （ａ）本発明の一実施形態の説明
以下、図面を参照して本発明の実施の形態を説明する。
図１は本発明の実施の形態を示すブロック図で、この図１において、１００は前述の図４の場合と同様のＷＤＭ送信装置（第１の伝送装置），５００は前述の図４，図６に示すＷＤＭ受信装置２００，２００′に比して本願発明の特徴的なパス３０１，３０２の切替制御のための構成を有する伝送装置としてのＷＤＭ受信装置（第２の伝送装置）である。
また、この図１において、前述の図４の場合と同様に、ＷＤＭ送信装置１００からＷＤＭ受信装置５００に向けた光伝搬方向にはプロテクション制御のための複数の（例えば２本の）パス（光信号伝搬用パス）３０１，３０２が設定されている。
ここで、ＷＤＭ受信装置５００は、図４に示すもの（符号２３１，２３２参照）と同様の波長分離部５０１，５０２と、図４に示すもの（符号２４０参照）と異なるプロテクション制御を行なうｎ個の受信側プロテクション処理部５１０−１〜５１０−ｎとをそなえている。尚、以下においては、受信側プロテクション処理部５１０−１〜５１０−ｎの構成について、受信側プロテクション処理部５１０−１に着目して説明する。
ここで、受信側プロテクション処理部５１０−１は、波長分離部５０１，５０２にて波長ｆ１〜ｆｎに波長分離された光信号のうちで、同一波長ｆ１の光信号についてそれぞれ信号処理を施す信号処理部５１１，５１２と、光スイッチ制御部５１３と、波長選択光スイッチ５１４と、周波数検出部５１５と、断状態検出回路５１６と、をそなえて構成されている。
また、信号処理部５１１，５１２はそれぞれ、波長分離部５０１，５０２からの光信号について電気信号に変換してプロテクション制御のために必要な監視制御情報を抽出するＯ／Ｅ変換部５１１Ａ，５１２Ａと、Ｏ／Ｅ変換部５１１Ａ，５１２Ａからの電気信号について互いに異なる波長λａ，λｂの光信号に変換するＥ／Ｏ変換部５１１Ｂ，５１２Ｂをそなえている。
信号処理部５１１，５１２は、ともに同一の構成を有するものであるが、信号処理部５１１の構成に着目すると、信号処理部５１１は、詳細には図２に示すような回路構成のＯ／Ｅ変換部５１１ＡおよびＥ／Ｏ変換部５１１Ｂをそなえて構成されている。
ここで、Ｏ／Ｅ変換部５１１Ａは、波長分離部５０１にて波長分離された光信号からディジタル電気信号に変換する変換回路部５２０と、変換回路部５２０からのディジタル電気信号からＳＯＮＥＴ（Ｓｙｎｃｈｒｏｎｏｕｓ  Ｏｐｔｉｃａｌ  Ｎｅｔｗｏｒｋ）フレーム等の多重化フレームのオーバヘッド情報を抽出してＬＯＦ（Ｌｏｓｓ  Ｏｆ  Ｆｒｏｍ）信号やＳＤ（Ｓｉｇｎａｌ  Ｄｅｎｕｄｅ）信号を出力するオーバヘッドモニタ５２８をそなえて構成されている。
また、変換回路部５２０において、５２１は波長分離部５０１からの光信号を受光してアナログ電気信号に変換する受光素子（ＡＰＤ；Ａｖａｌａｎｃｈｅ  Ｐｈｏｔｏ  Ｄｉｏｄｅ）、５２２はアンプ、５２３はローパスフィルタ、５２４は差動増幅器、５２５はバンドパスフィルタ、５２６は受光した光信号に含まれた信号成分をディジタル電気信号として出力するＤフリップフロップ、５２７は信号成分の損失を示す信号（ＬＯＳ；Ｌｏｓｓ  Ｏｆ  Ｓｉｇｎａｌ）を出力するアンプである。
なお、上述のオーバヘッドモニタ５２８からのＬＯＦ信号およびＳＤ信号と、アンプ５２７から出力されるＬＯＳ信号は、後述の光スイッチ制御部５１３に対して監視制御情報として出力されるようになっている。
また、Ｅ／Ｏ変換部５１１Ｂは、上述のＥ／Ｏ変換部５１２Ｂとともに、複数の光信号伝搬用パス３０１，３０２を通じて伝搬されてきた光信号を、それぞれ互いに異なる波長λａ（Ｅ／Ｏ変換部５１２Ｂでは波長λｂ）の光信号として出力する光信号生成部として機能するものであって、図２に示すように、ＬＤ５３１，駆動回路部５３２および受光素子５３５をそなえている。
ここで、発光素子としてのＬＤ５３１は、波長λａの光を発光しうるものであり、ＬＤ駆動回路５３２は上述のパス３０１を通じて伝搬されてきた光信号を波長λａの光信号として出力すべく、ＬＤ５３１を駆動するもので、Ｄフリップフロップ５３３およびアンプ５３４をそなえている。
また、受光素子５３５は、ＬＤ５３１からのバック光を受光しその受光レベルに応じた電気信号を出力するもので、ＰＤ（Ｐｈｏｔｏ  Ｄｉｏｄｅ）により構成することができる。尚、ＬＤ駆動回路５３２からＬＤ５３１を駆動するために供給される電気信号（ＩＢ）と、受光素子５３５からの受光信号は、後述のモニタ部５１６に出力されるようになっている。
また、波長選択光スイッチ５１４は、光スイッチ制御部５１３からの制御用周波数信号の周波数に基づいて、複数の光信号出力部としての信号処理部５１１，５１２からの光信号のうちのいずれか一つに相当する波長（λａ又はλｂ）の光を選択的に出力しうるものである。
さらに、光スイッチ制御部５１３は、信号処理部５１１，５１２からの波長λａ，λｂの光信号のうちで、プロテクション制御により選択された光信号伝搬用パス側（例えばパス３０１側の信号処理部５１１）からの光信号を出力すべく、波長選択光スイッチ５１４に対して制御用周波数信号を供給するものである。
図３は、上述の光スイッチ制御部５１３による波長選択光スイッチ５１４とともに、周波数検出部５１５を詳細に示すブロック図である。ここで、波長選択光スイッチ５１４は、制御信号として供給される制御用周波数信号の周波数に応じて表面弾性波（ＳＡＷ；Ｓｕｒｆａｃｅ  Ａｃｏｕｓｔｉｃ  Ｗａｖｅ）を生成するＳＡＷ生成部５１４Ａをそなえ、出射側から出力される光信号の波長を、上述の制御用周波数信号により選択的に可変しうる音響光学波長フィルタとして構成されている。
換言すれば、光スイッチ制御部５１３は、上述のＯ／Ｅ変換部５１１Ａ，５１２Ａからの監視制御情報としてのＬＯＳ信号，ＬＯＦ信号およびＳＤ信号を入力されて、この監視制御情報を用いたプロテクション制御に基づき、音響光学波長フィルタとしての波長選択光スイッチ５１４への制御用周波数信号ｆａ又はｆｂを生成している。
これにより、波長選択光スイッチ５１４では、光スイッチ制御部５１３からの制御信号の周波数がｆａの場合には、信号処理部５１１からの光信号（波長λａ）を選択的に出力でき、光スイッチ制御部５１３からの制御用周波数信号の周波数がｆｂの場合には、信号処理部５１２からの光信号（波長λｂ）を選択的に出力できるようになっている。
また、周波数検出部５１５は、上述の光スイッチ制御部５１３が波長選択光スイッチ５１４に対して供給している制御用周波数信号の周波数を検出するものであり、例えば制御用周波数信号として用いられる周波数種類に応じたバンドパスフィルタにより構成することができる。
具体的には、図３に示すように、周波数検出部５１５は、光スイッチ制御部５１３から波長選択光スイッチ５１４に供給する制御用周波数信号を並列入力されて、それぞれ周波数ｆａ，ｆｂの周波数成分を抽出する２つのバンドパスフィルタ５１５Ａ，５１５Ｂをそなえている。
換言すれば、これらのバンドパスフィルタ５１５Ａ，５１５Ｂからの各出力信号レベルを用いることにより、バンドパスフィルタ５１５Ａにて抽出された周波数成分が比較的大きければ、光スイッチ制御部５１３では周波数ｆａの制御用周波数信号が出力され、バンドパスフィルタ５１５Ｂにて抽出された周波数成分が比較的大きければ、光スイッチ制御部５１３では周波数ｆｂの制御用周波数信号が出力されていることを検出する。
さらに、モニタ部５１６は、各Ｅ／Ｏ変換部５１１Ｂ，５１２Ｂにて生成される光信号をモニタするものであって、この場合においては、信号処理部５１１，５１２のＥ／Ｏ変換部５１１Ｂ，５１２ＢにおけるＬＤ（図２の符号５３１参照）に供給される電気信号ＩＢと、受光素子（図２の符号５３５参照）からの受光信号を入力されて、各Ｅ／Ｏ変換部５１１Ｂ，５１２Ｂの断状態を検出する断状態検出回路として構成される。
上述の構成による、本発明の一実施形態にかかる伝送装置においてプロテクション制御のためのパス選択は、以下のようにして行なわれる。
すなわち、ＷＤＭ送信装置１００では、２本のパス３０１，３０２を通じて波長多重信号（周波数成分ｆ１〜ｆｎ）を冗長に送信する一方、ＷＤＭ受信装置５００では、これら冗長に伝搬されてきた光信号を波長分離部５０１，５０２で受けると、受信側プロテクション処理部５１０−１〜５１０−ｎにおいて、プロテクション処理により、各波長成分の光信号毎に、パス３０１，３０２を通じて伝搬されてきた光信号のうちのいずれか一方を選択している。
このとき、各受信側プロテクション処理部５１０−１〜５１０−ｎでは、ＷＤＭ送信装置１００から２つの光信号伝搬用パス３０１，３０２を通じて同一波長で冗長に伝送されてきた光信号を入力されて、それぞれ互いに異なる波長の光信号として波長選択光スイッチに出力する。
たとえば、受信側プロテクション処理部５１０−１では、信号処理部５１１，５１２のＥ／Ｏ変換部５１１Ｂ，５１２Ｂにより、ＷＤＭ送信装置１００から２つの光信号伝搬用パス３０１，３０２を通じて同一波長ｆ１で冗長に伝送されてきた光信号を入力されて、互いに異なる波長λａ，λｂの光信号として波長選択光スイッチ５１４に出力する。
また、光スイッチ制御部５１３では、プロテクション制御により選択された光信号伝搬用パスを伝搬する光信号を出力するための制御用周波数信号で波長選択光スイッチ５１４を制御している。これにより、波長選択光スイッチ５１４から出力された光信号を、選択されたパスからの光信号として受信することができる。
このとき、周波数検出部５１５では、光スイッチ制御部５１３から波長選択光スイッチ５１４に出力している制御用周波数信号の周波数情報を抽出しているので、当該波長選択光スイッチ５１４から出力されている光信号の波長を特定できるので、プロテクション制御のための制御信号の周波数を検出するだけで、常時、主信号系からの信号をモニタすることなく、選択しているパスを把握することが可能となる。
また、モニタ部５１６では、常時作動状態にあるＥ／Ｏ変換部５１１Ｂ，５１２ＢにおけるＬＤの状態をモニタすることを通じて、現用系および待機系双方のＥ／Ｏ変換部５１１Ｂ，５１２ＢにおけるＬＤの状態について、安定的にモニタしている。
なお、各受信側プロテクション処理部５１０−１〜５１０−ｎの波長選択光スイッチにおいて出力される光信号の波長が、互いに異なるものとなるように、前述のＥ／Ｏ変換部５１１Ｂ，５１２ＢのＬＤで生成される光波長を設定しておくことが望ましい。
このように、本発明の一実施形態によれば、Ｅ／Ｏ変換部５１１Ｂ，５１２Ｂと、波長選択光スイッチ５１４と、光スイッチ制御部５１３とをそなえたことにより、波長選択光スイッチ５１４によるパス選択方向を常にモニタすることができ、且つ非選択光パスである待機系システムの正常性についても常に監視することができる利点がある。
なお、上述した本実施形態においては波長多重光通信システムにおいて、プロテクション制御により光信号伝搬用パスのいずれか一方を選択する場合について詳述しているが、本発明によれば、波長多重システム以外において、多重化されたパスのうちのいずれかをプロテクション制御によって選択する場合においても、もちろん適用することが可能である。
さらに、上述の本実施形態においては、プロテクション制御の態様としてパスを２重化した構成を適用しているが、本発明によればこれに限定されず、２本よりも多くの多重化パスを設定することとしてもよい。
また、本発明によれば、上述の本実施形態におけるＷＤＭ受信装置５００としての伝送装置について、必要に応じて周波数検出部５１５およびモニタ部５１６を省略して構成することとしてもよい。
なお、上述した実施形態に関わらず、本発明の趣旨を逸脱しない範囲で種々変形して実施することができる。
なお、本発明の各実施形態が開示されていれば、当業者によって製造することが可能である。
【産業上の利用可能性】  以上のように、本発明の伝送装置および伝送装置のパス選択方法は、複数設けられた光信号伝搬用パスのうちのいずれか一つをプロテクション制御により選択して光信号を受信するのに有用であり、特にＷＤＭ波長多重光通信システムにおけるプロテクション通信に適している。
【図１】
2004047341.tif 000003
【図２】
2004047341.tif 000004
【図３】
2004047341.tif 000005
【図４】
2004047341.tif 000006
2004047341.tif 000007
【図６】
2004047341.tif 000008
【図７】
2004047341.tif 000009
【国際調査報告】
2004047341.tif 000010
2004047341.tif 000011
2004047341.tif 000012
2004047341.tif 000013